(57)【要約】  ＮＭＲ分光計を使用した試験試料中の分析対象の定量測定方法であって、分析対象の溶解に使用する重水素化溶媒を内部標準として使用する方法、および本発明の方法において使用するための特定の基準物質が開示される。さらに、重水素化合物の重水素化率の決定方法が記載される。【選択図】図３
2021515903.tif 000002
【特許請求の範囲】
【請求項１】
ＮＭＲ分光計を使用した試験試料中の分析対象の定量測定方法であって、前記方法は、
規定量の前記試験試料を規定量の重水素化溶媒に溶解させることにより試料溶液を準備する工程と、
第１および第２のＮＭＲ活性核種に関する校正係数を決定することによって前記ＮＭＲ分光計を校正する工程であって、前記第１のＮＭＲ活性核種が前記重水素化溶媒の構成要素であり、前記第２のＮＭＲ活性核種が前記分析対象の構成要素である工程と、
前記試料溶液に対して第１のＮＭＲ実験を行って前記第１のＮＭＲ活性核種の共鳴周波数を決定することにより第１のスペクトルを生成する工程と、
前記試料溶液に対して第２のＮＭＲ実験を行って前記第２のＮＭＲ活性核種の共鳴周波数を決定することにより第２のスペクトルを生成する工程と、
前記第１および第２のスペクトルのシグナルならびに前記校正係数を考慮して、前記試料溶液中の分析対象の質量を算出する工程と
を含み、
前記第１のＮＭＲ活性核種と前記第２のＮＭＲ活性核種とは、互いに異なり、
既知量の前記第１のＮＭＲ活性核種と前記第２のＮＭＲ活性核種とを含む校正溶液中の前記第１のＮＭＲ活性核種および前記第２のＮＭＲ活性核種の共鳴周波数を決定し、２つの校正スペクトルを生成し、前記校正スペクトルにおける前記第１のＮＭＲ活性核種のシグナルと前記第２のＮＭＲ活性核種のシグナルとを比較することによって前記校正係数を決定し、
前記第１および前記第２のＮＭＲ実験ならびに前記校正係数の決定を、同じＮＭＲ分光計を使用して行う、
方法。
【請求項２】
前記第１のＮＭＲ活性核種が２Ｈである、請求項１記載の方法。
【請求項３】
前記重水素化溶媒が、Ｄ２Ｏ、ＤＭＳＯ−ｄ６、ＣＤＣｌ３、アセトン−ｄ６、アセトニトリル−ｄ３、およびベンゼン−ｄ６から選択される少なくとも１つである、請求項１または２記載の方法。
【請求項４】
前記試料溶液を、ＮＭＲ測定に適した容器、例えばＮＭＲ管において準備する、請求項１から３までのいずれか１項記載の方法。
【請求項５】
第１の重水素化合物の重水素化率の決定方法であって、
前記第１の重水素化合物と、重水素化率が既知である第２の重水素化合物との混合物を調製して、前記双方の重水素化合物を溶解させる工程と、
前記混合物から１Ｈ  ＮＭＲスペクトルを生成し、前記２つの重水素化合物それぞれの少なくとも１つのピークの積分を求める工程と、
前記混合物から２Ｈ  ＮＭＲスペクトルを生成し、同じピークの積分を求める工程と、
前記求めた積分値と前記第２の重水素化合物の既知の重水素化率とを使用して、前記第１の重水素化合物の重水素化率を算出する工程と
を含む、方法。
【請求項６】
前記第１および第２の重水素化合物のうちの少なくとも１つが、ＮＭＲ分光法用の重水素化溶媒である、請求項５記載の方法。
【請求項７】
規定数の重水素原子と、ＮＭＲ分光法により検出可能な規定数の少なくとも１つの追加の核種とを構造式中に含む化合物の、異核種定量測定のためのＮＭＲ分光計の校正への使用。
【請求項８】
前記ＮＭＲ分光法により検出可能な少なくとも１つの追加の核種が、炭素、窒素、リン、フッ素、ケイ素、ホウ素、およびセレンから選択される、請求項７記載の使用。
【発明の詳細な説明】
【技術分野】
【０００１】
本発明は、ＮＭＲ分光計を使用した試験試料中の分析対象の定量測定方法であって、分析対象の溶解に使用する重水素化溶媒を内部標準として使用する方法、本発明の方法において使用するための基準物質、および重水素化合物の重水素化率の決定方法に関する。
【背景技術】
【０００２】
核磁気共鳴分光法（以下、ＮＭＲ分光法ともいう）は、有機化合物の構造を解明するための基本方法のうちの１つである。これは、多数の元素の原子核がゼロではない核スピンを有しているという事実に基づいており、印加された外部磁場の下で生じる角運動量により、原子の化学環境について説明することができる。
【０００３】
１２Ｃや１６Ｏなどの核スピンがゼロ（Ｉ＝０）の原子は、ＮＭＲ分光法では検出することができない。対照的に、ゼロ以外の核スピンを有する全ての原子は、ＮＭＲ分光法を利用することができる。核スピンＩが１／２の値である場合には、ｍ＝＋１／２とｍ＝−１／２の２つしか可能な固有状態が存在しないため、これが最も有利である。可能な状態の数は、式：２Ｉ＋１に従って算出される。そのため、有機化学においてＮＭＲ分光法が使用される場合には、１Ｈ、１３Ｃ、１５Ｎ、１９Ｆ、２９Ｓｉ、３１Ｐ、および７７Ｓｅの核種が最も適している。
【０００４】
単なる構造解析に加え、ＮＭＲ分光法は、調べる化合物、つまり分析対象の定量測定にも使用することができる。定量的ＮＭＲ分光法では、試料溶液に含まれる分析対象の量は、分析対象のシグナル強度と、同時に測定される基準物質のシグナル強度とを比較することにより算出される。通常、内部標準が基準物質として試料溶液に添加される。その純度は既知であり、そのシグナルは分析対象のシグナルと重なり合っていてはならない。基準物質は外部標準としても使用することができる。以下、ＮＭＲ分光法で使用される基準物質を「標準」ともいう。
【０００５】
ＮＭＲスペクトルの定量的評価では、分析対象のシグナルと基準物質のシグナルとは別々に積分される。シグナルがスペクトルに現れる各原子は、シグナルの積分に均等に寄与するため、原子の数は積分に、つまり積分面積に比例するとみなされる。試料溶液中に含まれる分析対象の質量は、積分比から、分析対象および基準物質の質量およびモル質量、ならびにシグナルが積分された原子の数を考慮することによって算出することができる。
【０００６】
他のクロマトグラフィー法とは対照的に、定量的ＮＭＲ分光法は、標準として使用される基準物質が測定される分析対象と同一である必要はない。分析対象および標準は、ＮＭＲ実験でシグナルが記録される同じ種類の原子（同じ核種）を含むことのみ必要とされる。これにより、上述した内部標準の使用が可能になり、この内部標準は、理想的にはＮＭＲスペクトルでそのシグナルが分析対象のシグナルと重なり合わないように選択される。（測定または秤量により決定される）規定量の分析対象および標準を、通常は重水素化されている十分な量の溶媒に溶解させ、その後ＮＭＲ分光計で測定する。この方法では、使用する溶媒の正確な量を知る必要がない。
【先行技術文献】
【特許文献】
【０００７】
【特許文献１】独国特許出願公開第１０２０１２２０４７０１号明細書
【発明の概要】
【発明が解決しようとする課題】
【０００８】
調べるそれぞれの核種に対して、程度の差はあるものの適切な標準（標準物質）が存在しており、それらは通常は厳密に規定された標準溶液として保管されている。同じ試料についてさらなる核種を測定しようとする場合には、厳密に規定された標準溶液を調製して正確な量を使用する必要があるため、追加の標準を添加しなければならず、これには時間がかかる。さらに、これらの追加の標準溶液の純度を定期的に確認する必要もあり、これは追加の手間となる。
【０００９】
様々な標準の数および作業負荷を軽減し、かつ有機分子の最も重要なＮＭＲ活性核種のための汎用的な標準を提供するために、独国特許出願公開第１０２０１２２０４７０１号明細書では、炭素原子および水素原子に加えて、リン原子、窒素原子、およびフッ素原子が含まれる多核種標準が提案された。単一の標準を使用することにより、追加的に手を加えることなく同じ試料で複数の核種を測定することができる。多核種標準のさらなる利点は、中に含まれる全ての種類の原子が常に正確な化学量論比で存在するため、標準の中の原子の比率を決定する際に秤量誤差が生じ得ないことである。
【００１０】
しかしながら、特にナトリウム（Ｎａ）、カリウム（Ｋ）、塩素（Ｃｌ）、臭素（Ｂｒ）、またはアルミニウム（Ａｌ）などの無機アニオンおよびカチオンの範囲からの他の活性核種の測定が望まれる場合には、標準としての使用に利用できる適切な物質は存在しない。Ｎａは、ＫやＣａのように単純なカチオンとしてのみ存在する。ヨウ素（Ｉ）、Ｂｒ、およびＣｌの種は、水溶液または有機溶液中ではアニオンとしてのみ安定である。原則として、Ｃｌのみ過塩素酸塩の形態で内部標準として使用することができる。対照的に、ヨウ化物の存在下では過ヨウ素酸塩は反応性が高すぎて測定できないため、外部標準としてしか使用できず、これは付随する欠点を有している。この場合、検量線を引かなくてはならず、これは手間がかかる多くの基準測定を招く。ＮＭＲ分光法において外部校正を用いるもう１つの重大な問題は、規定容積の測定セルを利用できないことである。例えばＨＰＬＣクロマトグラフィーでは、そのようなセルがＵＶ検出に使用されており、この場合、永続的に利用可能な測定セルまたは交換用に標準化されたキュベットが使用されている。市販のＮＭＲ測定管の容積は規格化されておらず、品質に応じて０．５〜１０％の誤差が生じる。あるいは、同じ管を各測定に使用できるものの、これは時間のかかるすすぎ洗いや品質検査をもたらすため、特に連続測定やルーチン測定では実用的ではない。
【００１１】
これらの欠点を克服するための過去のいずれの試みにおいても、それぞれの定量測定は、大きな不確実性因子を伴う少なくとも２回目の測定を必要とした。ＥＲＥＴＩＣ（electronic reference to access in vivo concentrations）法では、照射された電気的基準シグナルを定量に使用することが試みられた。しかし、これは容積のばらつきの問題のため失敗した。ＰＵＬＣＯＮ（pulse length based concentration determination）法を使用しても、ＮＭＲ管の平均容積の標準偏差で許容されるよりも正確な結果は得られなかった。第２の問題は、各ＮＭＲ管を感度に関して個別に調整しなければならないこと、いわゆる「チューニングおよびマッチング」である。容積のばらつきおよびマッチングは、測定の不確実性を増大させる。
【００１２】
したがって本発明の目的は、上述した定量的ＮＭＲ分光法の欠点を克服し、全てのＮＭＲ活性核種を簡便であるが正確な形で定量測定できる核磁気共鳴分光法、すなわちＮＭＲ分光法を提供することである。本発明のさらなる目的は、ＮＭＲ分光法での使用に必要な規定された基準物質を提供することである。
【図面の簡単な説明】
【００１３】
【図１】Ｄ２Ｏ中のヘパリンＮａの２Ｈ  ＮＭＲスペクトルの図。
【図２】Ｄ２Ｏ中のヘパリンＮａの２３Ｎａ  ＮＭＲスペクトルの図。
【図３】異なる濃度のヘパリンＮａを用いた２３Ｎａ  ＮＭＲスペクトルの図。
【図４】細部を拡大したＤＭＳＯ−ｄ６の１Ｈ  ＮＭＲスペクトルの図。
【図５】ＤＭＳＯ−ｄ６の２Ｈ  ＮＭＲスペクトル（左）、および図４の対応する１Ｈ  ＮＭＲスペクトルとの拡大された重なり（右）の図。
【図６】重水素化ＤＭＳＯ−ｄ６の重水素化率を決定するグラフ。
【図７】ＤＭＳＯ−ｄ６とＣＤＣｌ３との混合物の１Ｈ  ＮＭＲスペクトル（左）および対応する２Ｈ  ＮＭＲスペクトル（右）の図。
【発明を実施するための形態】
【００１４】
この課題は、請求項１に規定の、ＮＭＲ分光計を使用した試験試料中の分析対象の定量測定方法により解決される。本発明の方法は、
規定量の試験試料を規定量の重水素化溶媒に溶解させることにより試料溶液を準備する工程と、
第１および第２のＮＭＲ活性核種に関する校正係数を決定することによってＮＭＲ分光計を校正する工程であって、第１のＮＭＲ活性核種が重水素化溶媒の構成要素であり、第２のＮＭＲ活性核種が分析対象の構成要素である工程と、
試料溶液に対して第１のＮＭＲ実験を行って第１のＮＭＲ活性核種の共鳴周波数を決定することにより第１のスペクトルを生成する工程と、
試料溶液に対して第２のＮＭＲ実験を行って第２のＮＭＲ活性核種の共鳴周波数を決定することにより第２のスペクトルを生成する工程と、
第１および第２のスペクトルのシグナルならびに校正係数を考慮して、試料溶液中の分析対象の質量を算出する工程と
を含み、
第１のＮＭＲ活性核種と第２のＮＭＲ活性核種とは、互いに異なり、
既知量の第１のＮＭＲ活性核種と第２のＮＭＲ活性核種とを含む校正溶液中の第１のＮＭＲ活性核種および第２のＮＭＲ活性核種の共鳴周波数を決定し、２つの校正スペクトルを生成し、校正スペクトルにおける第１のＮＭＲ活性核種のシグナルと第２のＮＭＲ活性核種のシグナルとを比較することによって校正係数を決定し、
第１および第２のＮＭＲ実験ならびに校正係数の決定を、同じＮＭＲ分光計を使用して行う。
【００１５】
本発明は、定量的ＮＭＲ分光法において、試料溶液の調製に使用される重水素化溶媒を内部標準としても使用することができ、これにより試料溶液中の全てのＮＭＲ活性核種を定量測定できるという本発明者らの発見に基づくものである。したがって本発明の方法は、使用される標準の構成要素ではない核種の定量的な検出にも使用することができる。以下、この手法を「異核種定量測定」または「異核種定量」ともいう。
【００１６】
したがって本発明の方法は、第１のＮＭＲ活性核種と第２のＮＭＲ活性核種とが互いに異なることを特徴とする。「第１」または「第２」のＮＭＲ活性核種という呼称は、２つの異なるＮＭＲ活性核種を区別する役割のみを果たす。
【００１７】
このため本発明は、使用される標準と測定される分析対象との双方で同じ核種が定量的に検出される通常の定量的ＮＭＲ分光法の実施とは対照的である。したがって、区別のために、通常の定量的ＮＭＲ分光法は、「同核種定量測定」または「同核種定量」と表すことができる。
【００１８】
本出願の趣意におけるＮＭＲ活性核種は、ゼロではない核スピンを有しており、そのためＮＭＲ分光法で検出することができる、単核種元素または元素の様々な同位体の全ての核種、すなわち原子核である。
【００１９】
本発明の方法は、複数の物質の混合物（試験試料）における特定の物質（分析対象）の割合の決定に役立つ。
【００２０】
本発明の方法で定量的な記述を行えるようにするためには、測定する試料溶液を調製する際に、規定量の試験試料を規定量の重水素化溶媒に溶解させなければならない。規定量の試験試料および重水素化溶媒は、必要な体積を測定するか、必要な質量を秤量することにより、互いに独立に得ることができる。したがって、試料溶液に含まれる試験試料および重水素化溶媒の質量は既知である。
【００２１】
試験試料を重水素化溶媒に溶解させるとの規定は、試験試料を好ましくは溶媒に完全に溶解させることを意味する。ただし、試験試料に含まれる分析対象のみが完全に溶解していることのみでも十分である。
【００２２】
試料溶液は、好ましくはＮＭＲ管などのＮＭＲ分光法の実施に適した容器の中で準備される。
【００２３】
重水素化溶媒として、Ｄ２Ｏ、ＤＭＳＯ−ｄ６、ＣＤＣｌ３、アセトン−ｄ６、アセトニトリル−ｄ３、ベンゼン−ｄ６を好ましく使用することができるが、原則として全ての重水素化溶媒を使用することができる。使用される重水素化溶媒は、溶媒への試験試料または分析対象の溶解度または溶媒の不活性挙動などの様々なパラメータに基づいて適切に選択することができる。
【００２４】
本発明の方法では、調製した試料溶液に対して２つのＮＭＲ実験が行われ、その際に第１のＮＭＲ活性核種の共鳴周波数と第２のＮＭＲ活性核種の共鳴周波数とが別々に決定され、その結果が、対応するＮＭＲスペクトルに示される。第１および第２のＮＭＲ実験が行われる順序は、原則として重要ではない。しかしながら、２つのＮＭＲ実験は同じ試料溶液で行わなければならない。これは、試料溶液中での重水素化溶媒の割合と分析対象の割合との比が、２つのＮＭＲ実験間で変化も変更もしてはならないことを意味する。その場合のみ、試験試料中の分析対象の量に関して定量的な記述を行うことができる。
【００２５】
ＮＭＲ活性核種が「重水素化溶媒の構成要素である」という記述は、この核種が溶媒の式（全分子式）で表されることを意味する。同様に、ＮＭＲ活性核種が「分析対象の構成要素である」という記述は、この核種が分析対象の式（全分子式）で表されることを意味する。例えば、重水素化溶媒としてＤ２Ｏが使用される場合、重水素（２Ｈ）は重水素化溶媒の構成要素である。分析対象が例えばエタノール（Ｃ２Ｈ５ＯＨ）である場合、炭素（Ｃ）および水素（Ｈ）はどちらも分析対象の構成要素である。
【００２６】
しかしながらこれは、これらの核種の一方または双方が双方の合計の式で表されることを排除するものではない。例えば、重水素化溶媒としてアセトン−ｄ６を使用する有機炭化水素化合物の定量測定が本発明の方法を用いて行われる場合、炭素（Ｃ）は、重水素化溶媒と分析対象との双方の構成要素である。
【００２７】
２つのＮＭＲ実験は通常の方法などで行われ、結果から、対応するＮＭＲスペクトルが生成される。そのうちの１つでは内部標準として使用される重水素化溶媒のＮＭＲ活性核種のシグナルが示され、もう１つでは分析対象のＮＭＲ活性核種のシグナルが示される。例えば、第１のＮＭＲ実験で２Ｈ  ＮＭＲスペクトルを生成／作成することができ、第２のＮＭＲ実験で１Ｈ  ＮＭＲスペクトルまたは１３Ｃ  ＮＭＲスペクトルを生成／作成することができる。
【００２８】
対照的に、通常の同核種定量測定では１回のみのＮＭＲ実験が行われ、内部標準のシグナルと分析対象のシグナルとの双方が示される単一のスペクトルのみが得られる。
【００２９】
かくして、本発明の方法では、試験試料中の分析対象の定量測定に、２つの異なるＮＭＲ実験からの測定結果が使用される。２つのＮＭＲ実験は、異なる核種の共鳴が、異なる共鳴周波数で測定されるという点で異なる。定量的な記述のためには、この方法で得られた測定結果、すなわち異なるスペクトルからのシグナルの積分を直接比較することはできない。これについては以下で説明する。
【００３０】
量子物理学に起因する現象は、同じ磁場強度での異なる共鳴周波数に起因する異なる核種の異なる感度である。この効果は、ＮＭＲ分光法により検出される核種の磁気回転比γによって定量化され、感度値の形式で表される。これらの値は一般的に知られている。例えば、１Ｈは最も感度の高い核種である。次に感度の高い核種は１９Ｆであり、これは１Ｈよりも既に１７％感度が低い。２Ｈの感度は、１Ｈと比較して既にわずか約１％（９．６５×１０−３）にすぎない。
【００３１】
調査されるＮＭＲ活性核種がこの元素の天然に存在する同位体のみではない限り、天然に存在する同位体混合物中の調査される核種の相対頻度も関与する。この因子は、核種の感度と天然頻度との積である総合相対感度で考慮される。例えば、核種３１Ｐ、１９Ｆ、および２３Ｎａは１００％モノアイソトピックである。有意な誤差なしで、１Ｈも同様にモノアイソトピックとみなすことができる。他方で、例えば核種１５Ｎおよび１３Ｃの天然頻度を考慮しなければならない。これらの値は一般的に知られている。
【００３２】
本発明の方法で内部標準として使用される重水素化溶媒は、通常、重水素含有量に関して非常に富化されており、重水素化率は９９．５％〜９９．９９％、すなわちほぼ１００％である。あるいは、本発明の方法を使用して、１Ｈシグナルを２Ｈシグナルと比較することにより（および対応する校正係数を知ることにより）、使用される溶媒の重水素化率を容易に、迅速に、かつ確実に決定することができる。
【００３３】
第１のＮＭＲ実験中に２Ｈ  ＮＭＲスペクトルが生成され、重水素化レベルが約１００％である場合、１ＨのＮＭＲシグナル測定に対する２ＨのＮＭＲシグナル測定の総合相対感度は、約９．６５×１０−３である。
【００３４】
上述した量子力学的および化学的な因子に加えて、装置固有の因子によっても、異なるＮＭＲ実験の測定結果を直接比較することが困難になる。この因子は測定装置の形状によって生じ、同じ設計の異なる機器を比較した場合であっても、各ＮＭＲ分光計に個別特有のものである。よって、分光計のコイルの形状やその他のハードウェアパラメータが認識可能な影響を及ぼすことが判明した。したがって、装置固有の因子は、各ＮＭＲ分光計について経験的に決定する必要があるものの、これはそれほど複雑ではない。測定装置に変更が加えられない限り、これは一定のままである。装置固有の因子の決定は、システム適合性試験（ＳＳＴ）の一部として行うことができる。
【００３５】
装置固有の因子を考慮するためには、本発明の方法で使用されるＮＭＲ分光計を校正する必要がある。この目的のために、各ＮＭＲ分光計について、そして第１のＮＭＲ活性核種と第２のＮＭＲ活性核種とからなる各核種ペアについて、校正係数が決定される。
【００３６】
具体的には、校正係数は次の通りに決定することができる。最初に、適切な校正溶液を調製する。この溶液は、既知量の第１のＮＭＲ活性核種と第２のＮＭＲ活性核種とを含む。核種ペア１Ｈ、２Ｈについての校正係数を決定するためには、例えば、中に含まれるＨ２ＯおよびＤ２Ｏの厳密な量が既知であるＤ２Ｏ中のＨ２Ｏの溶液が適切であろう。
【００３７】
その後、校正しようとするＮＭＲ分光計を使用することにより、校正溶液から１Ｈ  ＮＭＲスペクトルおよび２Ｈ  ＮＭＲスペクトルが生成される。
【００３８】
２つのスペクトルのそれぞれのピークの積分を比較し、校正溶液中のＨ２ＯおよびＤ２Ｏの既知量を考慮することにより、このＮＭＲ分光計およびこの核種ペアに固有の校正係数を算出することができる。
【００３９】
Ｄと他の全ての活性核種Ｘとの間の校正係数を決定するための手順は、特別に合成された化合物を使用することでさらに簡略化することができる。これらの化合物は、化合物の化学構造の性質によって規定される量で、したがって規定のモル比で、核種ＤとＸとの双方を含む。この比は既知であることから、試料を秤量する必要はない。そのような基準物質を、秤量された試料と重水素化溶媒とからなる分析溶液に任意の量で添加することができる。ＤおよびＸについての固有のシグナルの絶対積分の比率から、それぞれの各測定で非経験的に校正係数が決定される。イソブタノール−ｄ６などの適切な化合物の例を以下に示す。
【００４０】
この校正係数は、使用されるＮＭＲ分光計の装置固有の因子のみならず、使用される核種ペアの上述した化学的および量子力学的因子も考慮したものである。校正係数は装置固有の特性も考慮するため、本発明による手順では、第１および第２のＮＭＲ実験ならびに校正係数の決定は、同じＮＭＲ分光計を使用することにより行わなければならない。
【００４１】
したがって本出願は、本発明による異核種定量測定方法を行うためにＮＭＲ分光計を校正する方法も開示する。
【００４２】
ＮＭＲ分光計の校正は、第１および第２のＮＭＲ実験が行われる前に行われても後に行われてもよい。
【００４３】
最後に、本発明の方法では、第１および第２のスペクトルのシグナルならびに校正係数を考慮して、試料溶液に含まれる分析対象の質量が算出される。これについては以下で詳しく説明する。
【００４４】
本発明の方法では、重水素化溶媒の構成要素であり上記で第１のＮＭＲ活性核種と称されるＮＭＲ活性核種が２Ｈ（水素の重水素同位体）であることが好ましい。
【００４５】
これは、重水素原子２Ｈ（またはＤ）の核スピンが１であるため、ＮＭＲ分光法で検出できることを利用したものである。したがって、任意の重水素化溶媒を内部標準として使用することができる。２Ｈの共鳴周波数は１Ｈの共鳴周波数よりも大幅に低く、周波数比Ξは１５．４０％である（ＣＤＣｌ３中のＴＭＳ（テトラメチルシラン）の０ｐｐｍでのプロトン周波数に対して）ことに留意すべきである。
【００４６】
上記で説明したように、２Ｈの感度は比較的低く、２Ｈ  ＮＭＲシグナル測定の総合相対感度は、１Ｈ  ＮＭＲシグナル測定に対してわずか約１％（９．６５×１０−３）である。しかしながらこれは、ＮＭＲ分光法では試料溶液中に溶媒が大過剰に存在するという事実によって埋め合わせられる。
【００４７】
本発明の方法では、第１および第２のＮＭＲ実験がパルス方式で行われる場合、第１および第２のＮＭＲ実験の実施において用いられるパルスの数も、２つのスペクトルからのシグナルを比較する際に考慮しなければならない（積分値をパルス数で除す）。
【００４８】
本発明の方法の最も大きな利点は、参照標準または基準物質として、さらには内部標準として溶媒が使用されることである。これにより、初めに述べたＮＭＲ管の容積のばらつきの問題が排除される。ＮＭＲ分光法では溶媒が既に一般的に使用されているため、標準として追加の物質を添加する必要はない。ここで標準としても機能する溶媒は、（例えば厳密な体積を測定するか、または厳密な質量を秤量することにより）正確に測定することのみ必要とされる。この内部標準、すなわち溶媒は、周波数安定性を向上させるロック物質としても機能し得る。ここで好ましい物質は、例えばＤ２Ｏである。したがって、内部標準は同時に溶媒として機能し、さらにロック物質としても機能する。
【００４９】
加えて、測定を校正するためには、すなわち２Ｈ  ＮＭＲスペクトルを記録するためには、通常単一のパルスで十分である。これにより、測定手順全体で約１０秒の最小限の合計測定時間の延長しか生じない。
【００５０】
以下、本発明による既知の同核種定量測定と異核種定量測定との双方について、化合物、すなわち試験試料に含まれる分析対象に関する定量的記述に使用できる試験試料のＮＭＲ分光分析実験の方法を詳しく説明する。使用される変数および定数を表１に示す。
【００５１】
【表１】
2021515903.tif 000003
【００５２】
［同核種定量測定のための算出］：
適切な試料溶液を調製するために、既知の質量の試験試料ｍＰＧを既知の質量の内部標準ｍＩＳと共に量り入れ、適切な溶媒に溶解させる。例えば、内部標準は、液体、固体、または適切な溶媒中の溶液であってもよく、正確に既知の割合の質量分率ｗＲＳで基準物質を含む。
【００５３】
基準物質の構造は既知である。試験試料中の分析対象の構造も通常既知であり、あるいはＮＭＲスペクトルから決定することができる。したがって、得られたＮＭＲスペクトルで見られる個々のシグナル／ピークは、それぞれ基準物質と分析対象とに明確に帰属することができる。
【００５４】
基準物質と分析対象との双方で、および各場合の選択されたピークで、それぞれのピークの下の面積に対応する積分ＩＲＳおよびＩＡが決定される。さらに、それぞれのピークを生じさせた原子核の数を知らなければならない。例えば基準物質としてジメチルスルホンが使用される場合、１Ｈ  ＮＭＲスペクトル中でのピークは６個のＨ原子に起因する。単一のＣＨ３基のピークが分析対象の定量測定に使用される場合には、このピークの積分は３個のＨ原子の結果である。
【００５５】
試料溶液中の基準物質の物質量ｎＲＳは、次の式（１）を使用して、内部標準の秤量した質量ｍＩＳ、内部標準中の基準物質の質量分率ｗＲＳおよびその分子量ＭＲＳを用いて算出することができる：
ｎＲＳ［ｍｍｏｌ］＝（ｍＩＳ［ｍｇ］×ｗＲＳ［％］）／（ＭＲＳ［ｇ／ｍｏｌ］×１００）    （１）
【００５６】
試料溶液中の分析対象の物質量ｎＡは、次の式（２）を使用して、内部標準中の分析対象および基準物質のそれぞれの１つのピークの積分ＩＡとＩＲＳとを比較し、それぞれのピークの原因の原子数ＺＡＡとＺＡＲＳとを考慮することにより算出することができる：
ｎＡ［ｍｍｏｌ］＝（ＩＡ×ＺＡＲＳ×ｎＲＳ［ｍｍｏｌ］）／（ＩＲＳ×ＺＡＡ）    （２）
【００５７】
試料溶液中の分析対象の質量分率ｗＡは、次の式（３）を使用して、試料溶液中の分析対象の物質量ｎＡ、そのモル質量ＭＡ、および試験試料の秤量した質量ｍＰＧから算出することができる：
ｗＡ［％］＝（ＭＡ［ｇ／ｍｏｌ］＊ｎＡ［ｍｍｏｌ］＊１００）／ｍＰＧ［ｍｇ］    （３）
【００５８】
［異核種定量測定のための算出］：
適切な試料溶液を調製するために、既知の質量の試験試料ｍＰＧを既知の質量の重水素化溶媒ｍＩＳと共に量り入れ、その中に溶解させる。内部標準として重水素化溶媒を使用しているため、試料溶液に別の物質を添加する必要はない。
【００５９】
試料溶液から、好ましくは２Ｈ  ＮＭＲスペクトル（適切な数のパルスＮＳＲＳを使用）と追加の別のＮＭＲスペクトルが記録される。追加のＮＭＲスペクトルは、通常、１Ｈまたは１３Ｃ  ＮＭＲスペクトルなどの、分析対象の決定に適したＮＭＲスペクトル（適切なパルス数ＮＳＡを使用）である。
【００６０】
当然、重水素化溶媒、すなわち基準物質の構造は既知である。分析対象の構造も通常は既知であり、あるいはＮＭＲスペクトルから決定することができる。したがって、得られたＮＭＲスペクトルで見られる個々のシグナル／ピークは、それぞれ基準物質と分析対象とに明確に帰属することができる。
【００６１】
２Ｈ  ＮＭＲスペクトルにおける基準物質および選択されたピークについて、積分ＩＲＳが決定される。同様に、追加のＮＭＲスペクトルにおける選択されたピークの積分ＩＡが決定される。同核種定量測定と同様に、それぞれのピークの原因の原子核の数を知る必要がある。
【００６２】
試料溶液中の基準物質の物質量ｎＲＳは、次の式（１）を使用して、内部標準つまり重水素化溶媒の秤量した質量ｍＩＳ、内部標準中の基準物質の質量分率ｗＲＳおよびそのモル分子量ＭＲＳを用いて算出することができる：
ｎＲＳ［ｍｍｏｌ］＝（ｍＩＳ［ｍｇ］×ｗＲＳ［％］）／（ＭＲＳ［ｇ／ｍｏｌ］×１００）    （１）
【００６３】
基準物質の質量分率ｗＲＳは、重水素化溶媒の純度と重水素化率から得られ、市場で入手可能な重水素化溶媒については既知である。
【００６４】
試料溶液中の分析対象の物質量ｎＡは、次の式（２ａ）を使用して、内部標準中の分析対象および基準物質のそれぞれの１つのピークの積分ＩＡとＩＲＳとを比較し、それぞれのピークの原因の原子数ＺＡＡとＺＡＲＳとを考慮することにより算出することができる：
ｎＡ［ｍｍｏｌ］＝（［ＩＡ×係数（Ｘ，Ｙ）／ＮＳＡ］×ＺＡＲＳ×ｎＲＳ［ｍｍｏｌ］）／（［ＩＲＳ／ＮＳＲＳ］×ＺＡＡ）    （２ａ）
【００６５】
ＮＭＲスペクトルでは、パルス数の増加に伴ってピーク面積（積分）が増加し、線形依存性であると見なすことができるため、上の式（２ａ）の積分ＩＡおよびＩＲＳは、それぞれのパルス数ＮＳＡおよびＮＳＲＳ（スキャン数）との関連で設定される。
【００６６】
さらに、式（２ａ）では、校正測定により決定することができる係数（Ｘ，Ｙ）を考慮する。ここで、ＸおよびＹは、２Ｈおよび１Ｈなどの２つのＮＭＲスペクトルで検出される試料溶液中のそれぞれの核種を示す。
【００６７】
試験試料中の分析対象の質量分率ｗＡは、次の式（３）を使用して、試料溶液中の分析対象の物質量ｎＡ、そのモル質量ＭＡ、および試験試料の秤量した質量ｍＰＧから算出することができる：
ｗＡ［％］＝（ＭＡ［ｇ／ｍｏｌ］＊ｎＡ［ｍｍｏｌ］＊１００）／ｍＰＧ［ｍｇ］    （３）
【００６８】
本発明の方法では、第１および第２のＮＭＲ実験ならびに校正係数の決定は、同じＮＭＲ分光計を使用して行わなくてはならない。好ましくは、ピークの積分に影響を与えるそれぞれのＮＭＲ実験の他の全てのパラメータも、同様にこれらの測定中に変更されずに保持される。あるいは、これらのいくつかのパラメータの変化を数学的に考慮して補正することができる。
【００６９】
アナログシグナルからデジタルシグナルへの変換を最適化できる対応するパラメータは、いわゆるＲＧ（レシーバゲイン）である。このパラメータは、好ましくはＮＭＲ実験では１に設定される。原則として、評価に使用される積分はＲＧの線形関数であるため、様々なＲＧに対して数学的な補正が可能である。上の式２ａでは、ＲＧに関する補正を考慮しなければならない。
【００７０】
ＮＭＲ実験のもう１つの関連パラメータは、パルス角ＰＷである。完全に緩和した状態では、核スピンによるＺ磁化の合計は１に正規化される。Ｘ、Ｙ磁化の強度は、励起の持続時間の関数であり、これは通常は１０〜２００マイクロ秒の範囲である。これにより、Ｚベクトルは円運動する。励起継続時間に応じて、ベクトルはパルス角とも呼ばれる。励起の最大強度は９０°パルスによって達成され、Ｚ磁化の１００％がＸ、Ｙ磁化に変換される。励起時間が２倍になると、Ｚ磁化は負になり、Ｘ、Ｙ磁化は０になる。この場合、励起された核スピンの巨視的磁化は単位円を表す。ベクトル場では、Ｘ、Ｙの強度は正弦関数である。数学的に自明な理由のため、不正確なパルス角度設定またはパルス時間に起因して生じ得る誤差は、９０°パルスで最も小さい。したがって、本発明による異核種定量のためには９０°パルスが好ましい。それ以外の場合は、絶対積分の補正を行う必要があるであろう。同核種定量の場合には、ＰＷは式から数学的に除かれるため役割を果たさない。
【００７１】
もう１つのパラメータは、いわゆる緩和遅延Ｄ１である。これは２つのパルス（ＮＳ＞１）間の実験的な待機時間を規定するため、ＮＳ＞１の場合にのみ考慮する必要がある。この値は非常に大きいため、測定される双方の核種が確実に完全に緩和される。緩和時間は材料の特性であり、そのため全ての核種だけでなく異なる分子環境にある同核種のグループの中でも別々である。このパラメータは各定量で観察する必要があり、数学的に考察することはできない。従来のＴ１測定に加えて、Ｄ１なしのＮＭＲ実験に続いて単一の９０°パルスを使用する簡単な試験が存在し、これを使用して、緩和遅延Ｄ１が十分に大きいか否かを確認することができる。
【００７２】
本発明の方法を用いることにより、ＮＭＲ分光法を主要な定量測定方法の水準にまで引き上げることができ、結果として秤量と同一視することができる。ＮＭＲ実験は、天秤のように校正しか必要としない。
【００７３】
イオン性の医薬有効成分の分析の分野では、分析されるアニオンまたはカチオンは、例えば単一のＮＭＲ分光分析で定性的および定量的のいずれでも決定することができる。
【００７４】
重水素化溶媒を内部標準として使用する本発明の基礎となる原理は、重水素化合物の重水素化率を迅速かつ容易に決定することも可能にする。
【００７５】
化合物の重水素化率は通常パーセンテージ（％）で示され、重水素原子で置換されている化合物中の水素原子の割合を示す。同様に、プロトン化率も規定することができ、重水素化率＝１−プロトン化率である。
【００７６】
したがって本発明によれば、第１の重水素化合物の重水素化率の決定方法も提供することができ、この方法は、
第１の重水素化合物と、重水素化率が既知である第２の重水素化合物との混合物を調製して、双方の重水素化合物を溶解させる工程と、
混合物から１Ｈ  ＮＭＲスペクトルを生成し、２つの重水素化合物それぞれの少なくとも１つのピークの積分を求める工程と、
混合物から２Ｈ  ＮＭＲスペクトルを生成し、同じピークの積分を求める工程と、
求めた積分値と第２の重水素化合物の既知の重水素化率とを使用して、第１の重水素化合物の重水素化率を算出する工程と
を含む。
【００７７】
好ましい実施形態によれば、第１および第２の重水素化合物のうちの少なくとも１つは、ＮＭＲ分光法用の重水素化溶媒である。
【００７８】
第１の重水素化合物と第２の重水素化合物との混合比は、有意義なＮＭＲスペクトルが得られる限り、厳密に知る必要はない。好ましい混合重量比は１：９９〜９９：１であり、さらに好ましくは１０：９０〜９０：１０であり、特に好ましくは３０：７０〜７０：３０である。第１の重水素化合物と第２の重水素化合物とを約１：１の比で混合することが最も簡単であり、そのため特に好ましい。
【００７９】
２つのスペクトルから、第１および第２の化合物の同じピークの積分が決定され、２つの化合物のそれぞれについて積分比Ｄ／Ｈが算出される。算出された積分比を使用し、第２の重水素化合物の既知のプロトン化率を考慮することで、第１の重水素化合物のプロトン化率を算出することができ、またこれから式（４）により第１の重水素化合物の重水素化率を算出することができる。
｛Ｄ｝Ｖｂ１＝１００−（｛Ｈ｝Ｖｂ２×（ＩｎｔＨＶｂ２／ＩｎｔＤＶｂ２）／（ＩｎｔＨＶｂ１／ＩｎｔＤＶｂ１）    （４）
式中：
｛Ｄ｝Ｖｂ１＝第１の重水素化合物の重水素化率
｛Ｈ｝Ｖｂ２＝第２の重水素化合物のプロトン化率
ＩｎｔＨＶｂ１＝１Ｈ  ＮＭＲスペクトルにおける第１の重水素化合物のピークの積分
ＩｎｔＤＶｂ１＝２Ｈ  ＮＭＲスペクトルにおける第１の重水素化合物の同じピークの積分
ＩｎｔＨＶｂ２＝１Ｈ  ＮＭＲスペクトルにおける第２の重水素化合物のピークの積分
ＩｎｔＤＶｂ２＝２Ｈ  ＮＭＲスペクトルにおける第２の重水素化合物の同じピークの積分
【００８０】
この重水素化率の決定方法の利点は、とりわけ、厳密な混合比を知る必要もなく、上述した量子力学的な、化学的な、または装置固有の因子を知る必要もないことである。特にこの方法を使用して、ＮＭＲ分光法用の溶媒の重水素化率を容易かつ正確に決定することができる。
【００８１】
本発明のＮＭＲ分光法による異核種定量測定方法では、上述したように、使用するＮＭＲ分光計の１回限りの校正が必要である。この目的に必要な校正溶液は、既知量の第１のＮＭＲ活性核種と第２のＮＭＲ活性核種とを含んでいるため、２つの適切な化合物を厳密に測定することにより調製することができる。
【００８２】
あるいは、構造式中に２つの核種を規定数で含む化合物を校正に使用することもできる。例えば、２つの核種が１Ｈおよび２Ｈである場合には、適切な化合物は、アセトン−ｄ６の還元によって得られるイソプロパノール−ｄ６、（ＣＤ３）２ＣＨＯＨであろう。この化合物は、核種２Ｈおよび１Ｈが十分に規定されており一定である６：２の比率を有しているため、この化合物を基準物質として使用する場合には正確な測定の必要がない。
【００８３】
これに基づいて、規定数の重水素原子に加えて、炭素、窒素、リン、フッ素、ケイ素、ホウ素、セレンなどの、ＮＭＲ分光法により検出可能な１つ以上の追加の核種を含む、さらなる化合物が考えられる。
【００８４】
校正における基準物質として使用できるそのような化合物の例は、イソプロパノール−ｄ６のリン酸エステルである：
【００８５】
【化１】
2021515903.tif 000004
［式中、リンは他の酸化状態も有していてもよい（ホスホン酸エステルなど）］。
【００８６】
基Ｒは、他のＮＭＲ活性核種、特にフッ素、ケイ素、およびホウ素が基準物質の一部となるように選択することができる。Ｒ＝イソプロピル−ｄ６である場合、重水素、水素、およびリンの測定における校正用の基準物質としてのみに適した化合物が得られる。以下の化合物では、基Ｒは、規定数のフッ素原子も基準物質が含むように選択されたため、フッ素含有化合物を測定する際の校正にも適した基準物質が利用可能である：
【００８７】
【化２】
2021515903.tif 000005
【００８８】
本発明のＮＭＲ分光法による異核種定量測定方法の原理に基づいて、上述したような化合物、すなわち、規定数の重水素原子と、ＮＭＲ分光法により検出可能な規定数の少なくとも１つの追加の核種とを構造式中に含む化合物の、異核種定量測定のためのＮＭＲ分光計の校正への使用がさらに提供される。
【００８９】
上記で説明したように、本出願は、本発明による異核種定量測定方法を行うためにＮＭＲ分光計を校正する方法も開示する。したがって、かかる校正方法における上述した化合物の使用も同様に開示される。
【００９０】
基準物質として使用される化合物は、室温またはわずかに高い温度で液体であることが特に好ましい。これにより、化合物を純物質として使用することが容易になる。
【００９１】
ここでの定量的異核種ＮＭＲ分光法は、構造が明確な有機分子の自然な化学量論に起因する純粋な数学的原理のみを参照する。このシステムは、量子天秤として説明することができ、そのため主要な完全な分析方法であり、実際の適用では主要な比較方法となる。
【００９２】
本発明の方法を用いることで、従来使用されてきた特定の基準物質を添加することなく、定量的なＮＭＲ分光法を行うことができる。
【００９３】
このような「基準を使用しない分析」の重要な分野は、診断または科学捜査である。参照として溶媒Ｄ２Ｏを使用すると、例えば従来の方法と比較して血中アルコールの測定を大幅に改善することができる。ＮＭＲ分光法による血中アルコール濃度の測定に関しては、独国特許第１０２０１２２２４３３４号明細書が参照される。
【００９４】
上述した溶媒の重水素化率の決定と同様に、複合的な１Ｈ／２Ｈ  ＮＭＲ法により、血液および血漿試料中の水分量を直接測定することができる。そのため、共通の基準を要することなく血液試料中の血中アルコールとしてのエタノールの含有量を直接測定することができ、１回の測定しか必要とされない。
【００９５】
血液中の水および血中アルコールの定量測定に加えて、血液組成のさらに重要なパラメータが直接利用可能になり、すなわち、本発明の方法によって、こうしたパラメータを簡便かつ正確に定量測定することができる。これらとしては、とりわけグルコース、乳酸、特定のアミノ酸、またはＡＤＰ／ＡＴＰが挙げられる。複雑なリポタンパク質のシグナルは、人間の血液の同一性の明確な証拠であり、検出して分光学的指紋を形成することもできる。これは、特に科学捜査の試料において、検査された物質の同一性および量を人間の血液として確認する。同様の方法で、適切な測定条件を使用することにより、液体エクスタシーとして知られているγ−ヒドロキシ酪酸などの他の代謝産物を検出することができる。
【００９６】
本発明のさらなる利点および特徴は、実施形態の説明および図面から理解することができる。
【実施例】
【００９７】
［実施例１］−ヘパリンナトリウム中のナトリウムの測定
以下に、本発明の方法、すなわち異種核定量測定の例として、ヘパリンナトリウム中のナトリウムの測定を示す。
【００９８】
この目的のために、ヘパリンＮａ溶液の１６個の異なる試料（Ｓ１〜Ｓ１６）のナトリウム含有量を本発明の方法（ＮＭＲ）によって測定し、原子吸光法（ＡＡＳ）によるこの目的のために通常使用される測定で得た値と比較した。
【００９９】
試料の調製のために、規定量のヘパリンＮａを量り入れ、規定体積のＤ２Ｏに溶解させる。あるいは、規定量の適切な重水素化溶媒を秤量することもできる。重水素化溶媒として、Ｄ２Ｏの代わりにＤＭＳＯ−ｄ６を使用してもよい。
【０１００】
具体的には、本発明によるＮＭＲによるＮａ測定は、欧州および米国の薬局方により要求される１Ｈ  ＮＭＲ調査に続く追加の実験として行った。この目的のためには、試料を追加で調製することなく既存の試料溶液を使用できるため、必要な追加時間は、１つの測定につき約２分のみであった。
【０１０１】
２Ｈ  ＮＭＲスペクトルを生成するためのＮＭＲ実験に要した時間は、１０秒未満であった。Ｄ２Ｏ中のヘパリンＮａの例示的な２Ｈ  ＮＭＲスペクトルを図１に示す。これは、１パルスでProdigy型の５００ＭＨｚ分光計（Bruker Corporation製）で生成したものである。信号雑音比Ｓ／Ｎは１７０００である。
【０１０２】
２３Ｎａ  ＮＭＲスペクトルを生成するためにＮＭＲ実験に要した時間は、約２分であった。Ｄ２Ｏ中のヘパリンＮａの例示的な２３Ｎａ  ＮＭＲスペクトルを図２に示す。これは、１２８パルスで同じProdigy型の５００ＭＨｚ分光計（Bruker Corporation製）で生成した。信号雑音比Ｓ／Ｎは４９００である。
【０１０３】
図３に示されている２３Ｎａ  ＮＭＲスペクトルでは、異なる濃度のヘパリンＮａを有する異なる試料のＮａシグナルが重ね合わされている。
【０１０４】
それぞれの２Ｈ  ＮＭＲスペクトルおよび２３Ｎａ  ＮＭＲスペクトルのシグナル（積分）に基づいて、かつ使用したＮＭＲ分光計の校正係数と核種ペア（２Ｈ、２３Ｎａ）とを考慮して、各試料中のＮａ含有量を決定した。
【０１０５】
以下の表１に、本発明の方法で得られた結果を、原子吸光分光法（ＡＡＳ）による測定から得られた結果と比較して示す。
【０１０６】
【表２】
2021515903.tif 000006
【０１０７】
ＮＭＲ試験の結果は、測定精度の範囲内で、Ｎａについて従来使用されているＡＡＳ法の結果と一致することが分かった。
【０１０８】
上述した手順は、例えば３５Ｃｌや７９Ｂｒなどの他の全ての活性なＮＭＲ核種に容易に転用することができる。
【０１０９】
［実施例２］−ＮＭＲ溶媒の重水素化率の決定
ＮＭＲ実験に適した溶媒は、より多く天然に存在する水素原子１Ｈの代わりに重水素２Ｈを非常に高度に含んでなければならない。従来のＮＭＲ実験では、「非常に高度」な仕様、すなわちＤが９９％を超えれば十分である。残りの１％は１Ｈである。
【０１１０】
この重水素化率を知ることは、本発明による異核種定量ＮＭＲ法に重要である。重水素化率が９９．９５％を超えるＤ２Ｏなどの非常に高度に重水素化された溶媒の場合、０．０５％の１Ｈの割合は重要ではなく、測定の不確実さの決定にのみ影響を及ぼす。ＮＭＲ分光法は２Ｈ（Ｄ）および１Ｈの双方の核種の測定に使用できることから、重水素化率の厳密な測定にはこれが必然的によく適している。積分比Ｄ／Ｈは重水素化率に正比例する。重水素化されていない同じ溶媒を添加して適切な算出を行うことにより、必要な校正を簡便に行うことができる。
【０１１１】
以下、重水素化ＤＭＳＯ−ｄ６（ＣＤ３−ＳＯ−ＣＤ３）の例でこれを示す。メーカーによれば、この実施例で使用されるＤＭＳＯｄ６の重水素化率は約９９．５％である。したがって、一部のＤＭＳＯ分子は２つの同一のＣＤ３基を含まず、ＣＤ２ＨまたはＣＤＨ２基も含む。１Ｈ  ＮＭＲスペクトルでは、基ＣＤ２Ｈのシグナル（２ＪＤ，Ｈカップリングによる五重線）とＣＤＨ２のシグナル（２ＪＤ，Ｈカップリングによる三重線）とを別々に表示することができる（図４を参照）。２Ｈ  ＮＭＲスペクトルでは、主要なＣＤ３基のみ見ることができる（図５を参照）。
【０１１２】
図４では、左側にＤＭＳＯ−ｄ６の１Ｈ  ＮＭＲスペクトルが示されている。図４の中央には、ＣＨＤ２基の三重線が垂直方向に拡大して示されている。この試料に重水素化されていないＤＭＳＯを添加した後、ＣＨ３基の一重線は高磁場にシフトしたように見える。いわゆる重水素同位体効果により、重水素あたり同じ量だけ１Ｈ共鳴が高磁場に等距離シフトする。
【０１１３】
硫黄にあるＣＨ３基も分離されたシグナルとして示されるため（２ＪＤ，Ｈがないため一重線）、内部標準として標準的な添加で通常のＤＭＳＯを使用することは、この場合、ＤＭＳＯ−ｄ６中のプロトンの量を正確に決定するのに適している。この方法で非常に厳密に決定できる残留プロトンの量を知ることにより、重水素対水素の比率の校正を容易に行うことができる。したがって、重水素化率に関してこのようにして厳密に規定された重水素化溶媒は、本発明の方法における異核種定量化のための標準として使用することができる。
【０１１４】
図５は、ＤＭＳＯ−ｄ６の２Ｈ  ＮＭＲスペクトル（左側）、および図４の対応する１Ｈ  ＮＭＲスペクトルとの拡大された重なり（右側）である。１３Ｃ  ＮＭＲを付随して示すために、右のスペクトルは垂直方向に拡大されている。
【０１１５】
この実施例で使用される重水素化ＤＭＳＯ−ｄ６に重水素化されていないＤＭＳＯを様々な規定量で添加した後、得られた混合物をそれぞれＮＭＲ分光法により測定し、積分比Ｄ／Ｈを決定し、その後得られた比Ｄ／Ｈを、添加した重水素化されていないＤＭＳＯの割合（重量％）に対してプロットした。使用した重水素化ＤＭＳＯ−ｄ６の重水素化率は、次の式（５）を使用する線形相関式から算出することができる。
重水素化率＝１００−切片／傾き    （５）
【０１１６】
図６は、この実施例により得られた測定値と、線形回帰を使用して作成した直線との対応するグラフを示している。決定係数Ｒ２は０．９９９９であった。直線方程式ｙ＝２．７８７７ｘ＋１．１９４を用いることで、使用した重水素化ＤＭＳＯ−ｄ６の重水素化率９９．５７％が得られる。
【０１１７】
これにより、上の実施例２のように重水素化率に関して厳密に特定されている溶媒を、ＣＤＣｌ３などの他の重水素化溶媒の重水素化率を決定するための汎用標準として使用できるようになり、結果として、本発明の方法（異核種定量）のための追加の標準を規定することができる。
【０１１８】
この目的のために、重水素化率に関して特定しようとする溶媒を、予め規定されているＤＭＳＯ−ｄ６と混合し、対応する１Ｈおよび２ＨのＮＭＲ分光測定を行う。量や個々の機器の設定などの、測定に影響を与える全てのパラメータが考慮されるため、混合比を知る必要はない。この手順については、以下の実施例３で詳しく説明する。
【０１１９】
［実施例３］−既知の重水素化率を有する別の重水素化溶媒を使用するＮＭＲ溶媒の重水素化率の決定
この実施例３では、重水素化ＣＤＣｌ３の重水素化率が決定される。このために、重水素化ＣＤＣｌ３と実施例２で使用したＤＭＳＯ−ｄ６（重水素化率９９．５７％）との混合物を、約１：１の混合比で調製する。混合比は厳密に知る必要はないため、これは重量基準であっても体積基準であってもよい。有意義なＮＭＲスペクトルが得られる限り、他の混合比が使用されてもよい。得られる混合物は、２Ｈおよび１Ｈ  ＮＭＲ（それぞれ１つの単一パルス）により測定される。
【０１２０】
図７では、左側にＤＭＳＯ−ｄ６とＣＤＣｌ３との調製した混合物の１Ｈ  ＮＭＲスペクトルが示されており、右側に対応する２Ｈ  ＮＭＲスペクトルが示されている。
【０１２１】
ＤＭＳＯ−ｄ６のスペクトルからの積分比Ｄ／Ｈを、ＣＤＣｌ３のスペクトルからの積分比Ｄ／Ｈと比較し、既知のプロトン化率（ＤＭＳＯ−ｄ６の｛Ｈ｝ＤＭＳＯ）を考慮することにより、ＣＤＣｌ３のプロトン化率および重水素化率が算出される。表２に、対応する測定値および算出結果を示す。
【０１２２】
【表３】
2021515903.tif 000007
【０１２３】
クロロホルムの重水素化率｛Ｄ｝ＣＤＣｌ３（％）は、次の式（６）を使用して算出することができる：
｛Ｄ｝ＣＤＣｌ３＝１００−（｛Ｈ｝ＤＭＳＯ×（ＩｎｔＨＤＭＳＯ／ＩｎｔＤＤＭＳＯ）／（ＩｎｔＨＣＤＣｌ３／ＩｎｔＤＣＤＣｌ３）      （６）
結果として、重水素化クロロホルムについて９９．８３％の重水素化率が得られる。
【図１】
2021515903.tif 000008
【図２】
2021515903.tif 000009
【図３】
2021515903.tif 000010
【図４】
2021515903.tif 000011
【図５】
2021515903.tif 000012
【図６】
2021515903.tif 000013
【図７】
2021515903.tif 000014
【国際調査報告】
2021515903.tif 000015
2021515903.tif 000016
2021515903.tif 000017
2021515903.tif 000018
2021515903.tif 000019
2021515903.tif 000020
2021515903.tif 000021
2021515903.tif 000022
2021515903.tif 000023